(57)【要約】【課題】 音透過性を具えた防水耳栓を提供する。【解決手段】  遮音膜１２と引き柱１３より一体に成型され、該遮音膜１２は環状薄膜形態で、該引き柱１３は該遮音膜１２の環状薄膜形態の中央に位置し、該引き柱１３は外部へと一定の長さ延伸し、耳栓１１をつまむ時の利便性を提供し、環状薄膜である該遮音膜１２は耳栓１１が内耳に挿入される時、内耳の弧状面変化に従い完全に密着し、該耳栓１１に防水用としての機能を提供し、さらに該遮音膜１２が内耳に密着する位置において、耳の外部の音は該遮音膜１２の共振作用により、同様に音を聞くことができる。【選択図】  図６
0003124314.tif 000002
【実用新案登録請求の範囲】
【請求項１】
引き柱、遮音膜より構成され、
該引き柱一端には環状突出部を設置し、反対端は該遮音膜中央に設置し、該遮音膜と一体に成型され、
該遮音膜は単一層の環状薄膜で該引き柱の一端に設置され、該遮音膜の環状膜面上には少なくとも２個の異なる規格の環状膜を設置することを特徴とする音透過性を具えた防水耳栓。
【請求項２】
前記遮音膜の隣接する２個の環状膜間には間隔縁を設置することを特徴とする請求項１記載の音透過性を具えた防水耳栓。
【請求項３】
前記遮音膜上に２個以上の環状膜を設置する時、徐々に大きくなる排列を規格とし設置することを特徴とする請求項１記載の音透過性を具えた防水耳栓。
【請求項４】
前記環状薄膜として設置される遮音膜の中央には引き柱を設置し、該遮音膜の膜内には空間を具えることを特徴とする請求項１記載の音透過性を具えた防水耳栓。
【考案の詳細な説明】
【技術分野】
【０００１】
本考案は一種の耳栓に関する。特に一種の音透過性を具えた防水耳栓に係る。
【背景技術】
【０００２】
公知の耳栓は通常は引き柱の外周柱上に数個の遮音膜を設置し、各遮音膜はすべて環状形態に設置し、環状形態は内から外に向かい徐々にその直径を拡大することにより、異なる大きさの内耳に密着接触する。複数の環状形態を設置する耳栓は、２枚の遮音膜間に位置する空間に遮音層を形成し、耳栓を内耳に挿入する時、外部の音は２個以上の遮音膜の遮音空間により隔絶され、音は内耳に伝送されない。また、引き柱の外部に多層の環状板を設置し、該環状板の間隔距離を非常に狭くし、該耳栓を内耳に挿入すると、複雑な環状板周縁と内耳は密着接触し、予期の防水目的を達成し、複数の環状板の間の間隔は遮音層を形成し、外部の音は内耳に伝送されない。
【特許文献１】特開２０００−２０１９６４号公報
【考案の開示】
【考案が解決しようとする課題】
【０００３】
公知の耳栓は、外部の音が２個以上の遮音膜の遮音空間により隔絶され、音は内耳に伝送されず、さらに、別種の公知の耳栓では複数の環状板間の間隔が遮音層を形成し、同様に外部の音は内耳に伝送されないという欠点を有する。
【課題を解決するための手段】
【０００４】
上記課題を解決するため、本考案は、下記の特徴を有する音透過性を具えた防水耳栓を提供する。
１．請求項１に記載の音透過性を具えた防水耳栓は、引き柱、遮音膜より構成され、該引き柱一端には環状突出部を設置し、反対端は該遮音膜中央に設置し、該遮音膜と一体に成型され、該遮音膜は単一層の環状薄膜で該引き柱の一端に設置され、該遮音膜の環状膜面上には少なくとも２個の異なる規格の環状膜を設置することを特徴とする。
２．請求項２に記載の音透過性を具えた防水耳栓は、請求項１の場合において、前記遮音膜の隣接する２個の環状膜間には間隔縁を設置することを特徴とする。
３．請求項３に記載の音透過性を具えた防水耳栓は、請求項１の場合において、前記遮音膜上に２個以上の環状膜を設置する時、徐々に大きくなる排列を規格とし設置することを特徴とする。
４．請求項４に記載の音透過性を具えた防水耳栓は、請求項１の場合において、前記環状薄膜として設置される遮音膜の中央には引き柱を設置し、該遮音膜の膜内には空間を具えることを特徴とする。
【考案の効果】
【０００５】
上記のように、本考案は環状薄膜である遮音膜が耳栓が内耳に挿入されると、内耳の弧状面変化に従い完全に密着し、該耳栓に防水用としての機能を提供する他、環状薄膜が内耳に密着する位置において、耳の外部の音は環状薄膜の共振作用により伝送され、同様に音を聞くこともできる。
【考案を実施するための最良の形態】
【０００６】
図１、２に示すように、本考案の耳栓１１は２個１組で設置する。各遮音膜１２の引き柱１３中央にはそれぞれ柱孔２０を設置し、該柱孔２０内には接続紐１４を挿入設置する。こうして２個の耳栓１１を相互に連接する。該各１個の耳栓１１は該遮音膜１２と該引き柱１３の２部分が一体に成型され、該遮音膜１２は環状膜形態で、該引き柱１３は該薄膜形態の遮音膜１２中央に設置し、該柱体は外部へと一定の長さ延伸し、耳栓をつまむ時の利便を提供する。環状薄膜である該遮音膜１２は該耳栓１１が耳の内耳に挿入される時、環状薄膜が耳の内耳の弧状面変化に従い完全に密着し、該耳栓１１に防水用としての機能を提供する。さらに、該環状薄膜が内耳に密着する位置において、耳の外部の音は環状薄膜の共振作用により、耳と同様に音声を聞くことができる。
【０００７】
次に図１〜６に示すように、該耳栓１１の遮音膜１２と引き柱１３はシリコンゴム材料により一体に成型する。該遮音膜１２中央に設置する引き柱１３は適当な長さの柱体を具え、該柱体の一端と該遮音膜１２は一体に連接し、柱体の反対端には環状突出部１９を設置する。端部の中央には柱孔２０を設置する。該柱体は該遮音膜１２の中央に設置し、該耳栓１１を耳に挿入する時、つまむことができ、利便性を提供することができる。該引き柱１３一端に設置する遮音膜１２は単一層の環状薄膜形態で、該環状薄膜は少なくとも２個の異なる規格の膜部１５、１６として同一の環状薄膜を形成する。該２個の膜部１５、１６間には明確な間隔縁１７を形成する。該間隔縁１７設置の規格は、最も多い人体の内耳サイズを基礎単位とし、多くの使用者に提供する。該耳栓１１を内耳に挿入する時には、該間隔縁１７両側の膜部１５、１６により密着するが、この無張力の密着接触面は使用者にプレッシャーを感じさせる恐れはない。
【０００８】
該遮音膜１２前端に設置する内膜部１５は比較的小さい規格の環状薄膜で、該内膜部１５の先端は円弧状を呈し、該耳栓１１を内耳に挿入する時には、該内膜部１５の膜面は内耳の形の変化に従い、適当な位置に導入する。最後に環状薄膜と内耳面は密着接触し、環状薄膜は密着方式で内耳に接触する。該外膜部１６は該遮音膜１２後端に設置し、該外膜部１６と該内膜部１５間には間隔縁１７を設置し、該間隔縁１７により区画により、該遮音膜１２は２種の異なる膜を具える。該遮音膜１２後端に設置する外膜部１６は該耳栓１１を内耳に挿入後、該内膜部１５の膜面は内耳の形の変化に従い導入される。もし該内膜部１５の膜面が内耳周縁に完全に密着接触できない時には、該耳栓１１はより深い位置へと進む。この時、該外膜部１６の膜面と内耳面は接触し、該遮音膜１２は内耳面に密着接触する。
【０００９】
該耳栓１１の遮音膜１２は環状薄膜で、該環状薄膜の中央には適当な直径を具えた引き柱１３を設置し、該遮音膜１２と該引き柱１３の間には膜内空間２１を具える。該膜内空間２１は該遮音膜１２と該引き柱１３の接触位置に位置し、該耳栓１１が内耳に挿入されると、該外膜部１６の一部が内耳と密着接触するだけで、該遮音膜１２先端に設置する内膜部１５は接触しない。該未接触の先端の内膜部１５は、単層膜面により隔離され、該遮音膜１２の外端は完全に外界と通じるため、耳の外の音は該耳栓１１の使用によっても影響を受けず普通に耳内に伝わる。耳外の音は該遮音膜１２の膜内空間２１に入ると、共振伝動方式により耳内に伝送される。一方、該耳栓１１を耳に挿入することで、該遮音膜１２と内耳は密着し、予期の防水効果をも達成することができる。すなわち、該耳栓１１を挿入しても通常通りに外部の音を聞くことができる。
【００１０】
次に、図３〜５に示すように、該引き柱１３をつまみ該耳栓１１を内耳へと挿入する時、該耳栓１１においては、先ず該遮音膜１２の内膜部１５、外膜部１６が内耳と接触する。該内膜部１５は膜状の環状面により接触、密着、導入され、該耳栓１１が耳に完全に挿入されると、圧力を受けず最も快適な状態になった時、該遮音膜１２は膜面接触方式により機能を達成し、防水耳栓の予期の用途を実現する。さらに、図６に示すように、該耳栓１１が圧力を受けず最も快適な密着接触状態になった時、該耳栓１１先端に設置する内膜部１５は単一層の薄膜によってのみ隔離され、外部の音は、該遮音膜１２の膜内空間２１により共振され、耳内に伝わる。こうして該耳栓１１を装着後、防水機能の他に、耳の外の音を聞くこともでき、耳栓を装着していても水面で会話を行うことができる。
【図面の簡単な説明】
【００１１】
【図１】本考案の立体図である。
【図２】本考案の断面図である。
【図３】耳栓を耳に挿入する動作の一を示す本考案の断面図である。
【図４】耳栓を耳に挿入する動作の二を示す本考案の断面図である。
【図５】耳栓を耳に挿入する動作の三を示す本考案の断面図である。
【図６】耳栓と耳の間の密着関係を示す本考案の拡大図である。
【符号の説明】
【００１２】
１１  耳栓
１２  遮音膜
１３  引き柱
１４  接続紐
１５  内膜部
１６  外膜部
１７  間隔縁
１８  棒体
１９  環状突出部
２０  柱孔
２１  膜内空間
【図１】
0003124314.tif 000003
【図２】
0003124314.tif 000004
【図３】
0003124314.tif 000005
【図４】
0003124314.tif 000006
【図５】
0003124314.tif 000007
【図６】
0003124314.tif 000008